(57)【要約】【課題】折りたたみ構造を備えた電気光学装置を提供する。【解決手段】本発明の電気光学装置は、一対の基板間に電気光学物質を挟持してなる複数の電気光学パネルと、少なくとも１つの前記電気光学パネルと接続された制御部とをフレキシブル基板を介して接続してなり、各々の前記電気光学パネルに送信端子と受信端子とが設けられており、前記制御部の出力信号が、前記送信端子と前記受信端子とを介して前記電気光学パネル間で受け渡されることを特徴とする。【選択図】図１
2011150259.tif 000002
【特許請求の範囲】
【請求項１】
一対の基板間に電気光学物質を挟持してなる複数の電気光学パネルと、少なくとも１つの前記電気光学パネルと接続された制御部とをフレキシブル基板を介して接続してなり、
各々の前記電気光学パネルに送信端子と受信端子とが設けられており、前記制御部の出力信号が、前記送信端子と前記受信端子とを介して前記電気光学パネル間で受け渡されることを特徴とする電気光学装置。
【請求項２】
前記送信端子と前記受信端子とがフレキシブル配線基板を介して接続されていることを特徴とする請求項１に記載の電気光学装置。
【請求項３】
複数の前記電気光学パネルを支持するフレキシブル支持基板を有することを特徴とする請求項１又は２に記載の電気光学装置。
【請求項４】
複数の前記電気光学パネルが向きを揃えて一方向に配列されており、
隣り合って配置された前記電気光学パネルのうち一方の前記電気光学パネルの辺縁に前記送信端子が設けられ、他方の前記電気光学パネルの前記辺縁と対向する辺縁に前記受信端子が設けられていることを特徴とする請求項１から３のいずれか１項に記載の電気光学装置。
【請求項５】
前記電気光学パネルの隣接する２つの辺縁にそれぞれ前記送信端子が設けられ、他の２つの辺縁にそれぞれ前記受信端子が設けられていることを特徴とする請求項１から４のいずれか１項に記載の電気光学装置。
【請求項６】
各々の前記電気光学パネルに、画像を表示させる表示部と、前記表示部を駆動するとともに前記受信端子と接続された駆動回路とが設けられていることを特徴とする請求項１から５のいずれか１項に記載の電気光学装置。
【請求項７】
各々の前記電気光学パネルに、複数の前記受信端子と、各々の前記受信端子と前記駆動回路とを接続する複数の配線とが設けられ、複数の前記配線のうち少なくとも１本の前記配線が電気的に切断されていることを特徴とする請求項６に記載の電気光学装置。
【請求項８】
各々の前記電気光学パネルに、前記受信端子と前記送信端子とを接続するとともに前記駆動回路と接続された配線が設けられていることを特徴とする請求項６又は７に記載の電気光学装置。
【請求項９】
請求項１から８のいずれか１項に記載の電気光学装置を備えたことを特徴とする電子機器。
【発明の詳細な説明】
【技術分野】
【０００１】
本発明は、電気光学装置及び電子機器に関するものである。
【背景技術】
【０００２】
従来から、電気泳動表示装置（電子ペーパー）等の電気光学装置を構成するＴＦＴアレイ基板としては、ガラス基板上に半導体素子を形成したものが一般的に用いられ、フレキシブル性を有する電気光学装置を構成する場合には、プラスチック基板やステンレス基板などが用いられていた（例えば特許文献１参照）。
【先行技術文献】
【特許文献】
【０００３】
【特許文献１】特開２００７−１７８７０６号公報
【発明の概要】
【発明が解決しようとする課題】
【０００４】
しかし、プラスチック基板などの可撓性基板を用いたとしても、電気光学装置を湾曲させて丸めることはできるが、折りたたむことまでは不可能であった。
【０００５】
本発明は、上記従来技術の問題点に鑑み成されたものであって、折りたたみ構造を備えた電気光学装置、及び電子機器を提供することを目的の一つとする。
【課題を解決するための手段】
【０００６】
本発明の電気光学装置は、一対の基板間に電気光学物質を挟持してなる複数の電気光学パネルと、少なくとも１つの前記電気光学パネルと接続された制御部とをフレキシブル基板を介して接続してなり、各々の前記電気光学パネルに送信端子と受信端子とが設けられており、前記制御部の出力信号が、前記送信端子と前記受信端子とを介して前記電気光学パネル間で受け渡されることを特徴とする。
【０００７】
この構成によれば、各々の電気光学パネルと制御部とをフレキシブル基板を介して接続していることから、電気光学パネル同士の接続部分、及び電気光学パネルと制御部との接続部分のフレキシブル基板を折り曲げ可能のヒンジ部とすることができる。これにより、折りたたみ可能な構造を備えた電気光学装置とすることができる。さらに、制御部の出力信号は電気光学パネル間で受け渡されるため、制御部と複数の電気光学パネルとの接続形態を自在に設定することができる。
【０００８】
前記送信端子と前記受信端子とがフレキシブル配線基板を介して接続されていることが好ましい。
この構成によれば、電気光学パネル同士の電気的接続構造により折りたたみ構造の可動範囲が制限されることがない。
【０００９】
複数の前記電気光学パネルを支持するフレキシブル支持基板を有することが好ましい。
この構成によれば、フレキシブル支持基板により複数の電気光学パネルを支持するため、電気光学パネル同士を両パネルに架設された小サイズのフレキシブル基板で支持する場合と比較して信頼性に優れた折りたたみ構造を実現できる。
【００１０】
複数の前記電気光学パネルが向きを揃えて一方向に配列されており、隣り合って配置された前記電気光学パネルのうち一方の前記電気光学パネルの辺縁に前記送信端子が設けられ、他方の前記電気光学パネルの前記辺縁と対向する辺縁に前記受信端子が設けられている構成としてもよい。
この構成によれば、電気光学パネル同士の電気的接続を容易に行えるとともに、接続部分の省スペース化も実現できる。
【００１１】
前記電気光学パネルの隣接する２つの辺縁にそれぞれ前記送信端子が設けられ、他の２つの辺縁にそれぞれ前記受信端子が設けられている構成としてもよい。
このような構成とすれば、電気光学パネル同士を縦横に接続することができるため、電気光学パネルを行方向及び列方向にマトリクス状に配列し、大型の電気光学装置を構成することができる。
【００１２】
各々の前記電気光学パネルに、画像を表示させる表示部と、前記表示部を駆動するとともに前記受信端子と接続された駆動回路とが設けられていることが好ましい。
この構成によれば、個々の電気光学パネルに表示部を駆動する駆動回路を備えているので、制御部と電気光学パネル、及び電気光学パネル同士を接続する配線数を減らすことができる。
【００１３】
各々の前記電気光学パネルに、複数の前記受信端子と、各々の前記受信端子と前記駆動回路とを接続する複数の配線とが設けられ、複数の前記配線のうち少なくとも１本の前記配線が電気的に切断されている構成とすることもできる。
このような構成とすれば、上記の複数の配線が切断されていない電気光学パネルを用意することで、電気光学装置の任意の位置の電気光学パネルと置き換えて用いることができる。これにより、電気光学パネルを電気光学装置の製造及び修理の双方で用いる汎用部品とすることができる。
【００１４】
各々の前記電気光学パネルに、前記受信端子と前記送信端子とを接続するとともに前記駆動回路と接続された配線を有することが好ましい。
このような構成とすることで、互いに接続された電気光学パネル間で信号を受け渡し、各々の電気光学パネルの駆動回路に対して制御部の出力信号を供給することができる。
【００１５】
本発明の電子機器は、先に記載の電気光学装置を備えたことを特徴とする。
この構成によれば、折りたたみ可能な表示手段を具備した電子機器を提供することができる。
【図面の簡単な説明】
【００１６】
【図１】電気光学装置の一実施の形態を示す（ａ）平面図、及び（ｂ）側面図。
【図２】実施形態に係る電気光学パネルの平面図。
【図３】電気光学パネルの要部の詳細を示す部分平面図。
【図４】画素の一構成例を示す図
【図５】隣り合う電気光学パネル間の接続部を拡大して示す図。
【図６】電気光学パネルの配線構造を示す説明図。
【図７】変形例に係る電気光学パネルを示す図。
【図８】変形例に係る電気光学装置を示す図。
【図９】電気光学パネルの複数の具体的構成例を示す図。
【図１０】実施形態に係るＵＳＢメモリを示す斜視図。
【図１１】実施形態に係るＵＳＢメモリを示す斜視図。
【図１２】実施形態に係るＵＳＢメモリを示す平面図。
【図１３】実施形態に係るＵＳＢメモリの機能ブロック図
【図１４】ＵＳＢメモリの動作を示すフローチャート。
【図１５】ＵＳＢメモリの動作説明図。
【図１６】セキュリティ機能を備えたＵＳＢメモリの機能ブロック図。
【図１７】セキュリティ解除機器を示す斜視図。
【図１８】セキュリティ解除機器の機能ブロック図。
【図１９】セキュリティ解除機器及びＵＳＢメモリの使用方法を示す説明図。
【図２０】セキュリティ解除機器及びＵＳＢメモリの動作フローチャート。
【発明を実施するための形態】
【００１７】
以下、図面を用いて本発明の電気光学装置の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造に対して縮尺や数等を異ならせる場合がある。
【００１８】
（電気光学装置）
図１は、本発明に係る電気光学装置の一実施の形態を示す（ａ）平面図、及び（ｂ）側面図である。図２は、実施形態に係る電気光学パネルの平面図である。
図１に示す電気光学装置１００は、３枚の電気光学パネル１０ａ、１０ｂ、１０ｃと、制御基板３０とを備えて構成されている。電気光学パネル１０ａ、１０ｂ、１０ｃ及び制御基板３０は、可撓性フィルム等からなるフレキシブル支持基板１０１の一面側に接着されている。また、隣り合って配置された制御基板３０と電気光学パネル１０ａはフレキシブル配線基板１５１を介して接続されている。電気光学パネル１０ａ、１０ｂはフレキシブル配線基板１５２を介して接続されている。電気光学パネル１０ｂ、１０ｃはフレキシブル配線基板１５３を介して接続されている。
【００１９】
上記構成により、電気光学装置１００は、制御基板３０と電気光学パネル１０ａとの接続部分が折り曲げ可能のヒンジ部Ｈ１とされ、電気光学パネル１０ａと電気光学パネル１０ｂとの接続部分が折り曲げ可能のヒンジ部Ｈ２とされ、電気光学パネル１０ｂと電気光学パネル１０ｃとの接続部分が折り曲げ可能のヒンジ部Ｈ３とされている。
【００２０】
制御基板３０は、電気光学パネル１０ａ、１０ｂ、１０ｃを駆動制御する制御部１３０と、制御部１３０と図示略の配線を介して接続された送信端子群３１とを備えている。送信端子群３１は、図１では詳細を省略しているが、制御基板３０の辺縁に沿って配列された複数の送信端子を含んで構成される。
【００２１】
電気光学パネル１０ａ、１０ｂ、１０ｃは、いずれも図２に示す電気光学パネル１０を用いて構成されている。図２に示すように、電気光学パネル１０は、矩形状の素子基板１１上に、矩形状の表示部１２と、表示部１２の一辺に沿って配置されたデータ線駆動回路１３と、表示部１２の他の一辺に沿って配置された走査線駆動回路１４と、パネル制御回路１５と、受信端子群１１１と、送信端子群１１２とが形成された構成を備えている。
【００２２】
なお、図１に示す電気光学パネル１０ａ、１０ｂ、１０ｃでは、各構成要素に、「ａ」「ｂ」「ｃ」の添字を付した符号（素子基板１１ａ、１１ｂ、１１ｃ、表示部１２ａ、１２ｂ、１２ｃなど）を用いた。これにより、各構成要素と電気光学パネル１０の構成要素（素子基板１１、表示部１２、受信端子群１１１、送信端子群１１２など）との対応関係を明確にするとともに、それらが属する電気光学パネルも明確にした。
【００２３】
受信端子群１１１は素子基板１１の長辺のうち一方の長辺に沿った位置に形成され、複数の受信端子１２１を上記長辺に沿って配列してなる構成を備える。一方、送信端子群１１２は、受信端子群１１１が形成された長辺と対向する他の長辺に形成されている。送信端子群１１２は、複数の送信端子１２２を長辺に沿って配列してなる構成を備えている。
【００２４】
また本実施形態の場合、素子基板１１の長辺に設けられた受信端子群１１１と送信端子群１１２とが、短辺方向において対向するように配置されている。すなわち、図２におけるパネル制御回路１５近傍の角部１１Ａから受信端子群１１１までの長さと、送信端子群１１２近傍の角部１１Ｂから送信端子群１１２までの長さとがほぼ同等である。
【００２５】
このような構成とされていることで、図１に示すように、電気光学パネル１０ａ、１０ｂを並べて配置したときに、電気光学パネル１０ａの送信端子群１１２ａと、電気光学パネル１０ｂの受信端子群１１１ｂとが対向配置され、これら送信端子群１１２ａと受信端子群１１１ｂとを接続するフレキシブル配線基板１５２として簡素な構造で長さも短いものを用いることができる。これにより、フレキシブル配線基板を用いた接続を行いやすくなる。
【００２６】
ここで図３は、電気光学パネルの要部の詳細を示す部分平面図である。
図３に示すように、電気光学パネル１０の表示部１２には、互いに交差する方向に延びる複数のデータ線１６と複数の走査線１８とが形成されており、データ線１６と走査線１８とが交差する位置に対応して画素１９が形成されている。複数のデータ線１６はデータ線駆動回路１３に接続され、複数の走査線１８は走査線駆動回路１４に接続されている。
【００２７】
データ線駆動回路１３と走査線駆動回路１４はパネル制御回路１５に接続されている。パネル制御回路１５は、受信端子群１１１と送信端子群１１２とを接続する配線１３１に接続されており、受信端子群１１１を介して他の電気光学パネル１０又は制御基板３０と接続される。パネル制御回路１５は、上位装置から入力される制御信号に基づいてデータ線駆動回路１３及び走査線駆動回路１４を駆動し、表示部１２に配列された画素１９に画像データに基づく画像信号を入力することで画像表示を行う。
【００２８】
また電気光学パネル１０では、受信端子群１１１の１つの受信端子１２１と、送信端子群１１２の１つの送信端子１２２とが、配線１３１を介して接続されている。そして、複数の配線１３１のうち、一部の配線１３１がパネル制御回路１５と接続されている。この構成により、図１に示したように電気光学パネル１０ａ、１０ｂ、１０ｃを、フレキシブル配線基板１５２、１５３を介して相互に接続したときに、制御基板３０の送信端子群３１から出力される信号を、電気光学パネル１０ａ、１０ｂを経由して電気光学パネル１０ｃにまで伝達させることができる。すなわち、本実施形態の電気光学パネル１０は、制御部１３０から出力される信号を受信端子群１１１を介して受け取り、受け取った上記信号を送信端子群１１２から出力する。このようにして、互いに接続された電気光学パネル１０間で制御部１３０から出力された信号が受け渡される。
【００２９】
図４は、画素１９の一構成例を示す図である。図４に示す画素１９は、１Ｔ１Ｃ（１トランジスタ１キャパシタ）方式の画素回路であり、選択トランジスタＴＲｓと、キャパシタＣ１と、画素電極９と、電気光学物質層２５と、共通電極２２とを備えている。選択トランジスタＴＲｓのゲートに走査線１８が接続され、ソースにデータ線１６が接続されている。選択トランジスタＴＲｓのドレインには、キャパシタＣ１の一方の電極と画素電極９とが接続されている。画素電極９と共通電極２２との間に電気光学物質層２５が挟持されている。キャパシタＣ１の他方の電極は、走査線１８に沿って延びる容量線１７と接続されている。
【００３０】
図３に示した走査線駆動回路１４は、走査線１８を介して画素１９に選択トランジスタＴＲｓをオン状態とする選択信号を入力する。一方、データ線駆動回路１３は、上記選択信号の入力により選択トランジスタＴＲｓがオン状態とされている期間に、データ線１６に画像信号を供給する。これにより、選択トランジスタＴＲｓを介してキャパシタＣ１に画像信号が入力され、画素電極９が画像信号に応じた電位に設定される。その後、選択トランジスタＴＲｓがオフ状態に移行すると、キャパシタＣ１に蓄積されたエネルギーにより画素電極９の電位が保持され、画素電極９と共通電極２２との電位差に基づいて電気光学物質層２５が駆動される。
【００３１】
図５（ａ）は、電気光学パネル１０ａと電気光学パネル１０ｂとの接続部を拡大して示す部分平面図である。図５（ｂ）は、図５（ａ）のＡ−Ａ線に沿う位置の断面図である。なお、フレキシブル支持基板１０１の図示は省略している。
図５に示すように、電気光学パネル１０ａの送信端子群１１２ａと、電気光学パネル１０ｂの受信端子群１１１ｂとは、フレキシブル配線基板１５２を介して接続されている。フレキシブル配線基板１５２の一方の面には、接続配線１５５が送信端子群１１２ａ及び受信端子群１１１ｂに対応するピッチで配列形成されている。そして、フレキシブル配線基板１５２はＡＣＰ（異方性導電ペースト）やＡＣＦ（異方性導電フィルム）などの導電性接着材を介して送信端子群１１２ａ及び受信端子群１１１ｂに接続されている。図示のように、接続配線１５５と受信端子１２１及び送信端子１２２とは、それらの間に金属粒子や金属フィラー等の導電材６１を介在させた状態で接着され、導電材６１を介して電気的に接続されている。
【００３２】
次に、図６は、電気光学パネル１０ａ〜１０ｃの配線構造を示す説明図である。なお、図６には説明に必要な配線構造のみが示されている。
図６に示すように、制御基板３０の制御部１３０は、配線１３４を介して送信端子群３１に含まれるイネーブル端子１３５ａ〜１３５ｃに接続されている。イネーブル端子１３５ａ〜１３５ｃは、接続配線１５５を介して、電気光学パネル１０ａの対応する受信端子１２１（受信端子群１１１ａ）に接続されている。
【００３３】
電気光学パネル１０ａにおいて、受信端子１２１は、配線１３１ａを介して、対応する送信端子１２２（送信端子群１１２ａ）に接続されている。図示された３本の配線１３１ａには、それぞれイネーブル配線１４１ａ、１４２ａ、１４３ａが接続されているが、図にＸ印を付して示すように、イネーブル配線１４２ａとイネーブル配線１４３ａはレーザーリペア法などを用いて切断されている。したがって、電気光学パネル１０ａでは、イネーブル配線１４１ａと接続された配線１３１ａのみがパネル制御回路１５ａと接続されている。電気光学パネル１０ａの送信端子１２２は、接続配線１５５を介して、電気光学パネル１０ｂの対応する受信端子１２１（受信端子群１１１ｂ）に接続されている。
【００３４】
電気光学パネル１０ｂにおいて、受信端子１２１は、配線１３１ｂを介して、対応する送信端子１２２（送信端子群１１２ｂ）に接続されている。図示された３本の配線１３１ｂには、それぞれイネーブル配線１４１ｂ、１４２ｂ、１４３ｂが接続されているが、図にＸ印を付して示すように、イネーブル配線１４１ｂとイネーブル配線１４３ｂはレーザーリペア法などを用いて切断されている。したがって、電気光学パネル１０ｂでは、イネーブル配線１４２ｂと接続された配線１３１ｂのみがパネル制御回路１５ｂと接続されている。電気光学パネル１０ｂの送信端子１２２は、接続配線１５５を介して、電気光学パネル１０ｃの対応する受信端子１２１（受信端子群１１１ｃ）に接続されている。
【００３５】
電気光学パネル１０ｃにおいて、受信端子１２１は、配線１３１ｃを介して、対応する送信端子１２２（送信端子群１１２ｃ）に接続されている。図示された３本の配線１３１ｃには、それぞれイネーブル配線１４１ｃ、１４２ｃ、１４３ｃが接続されているが、図にＸ印を付して示すように、イネーブル配線１４１ｃとイネーブル配線１４２ｃはレーザーリペア法などを用いて切断されている。したがって、電気光学パネル１０ｃでは、イネーブル配線１４３ｃと接続された配線１３１ｃのみがパネル制御回路１５ｃと接続されている。
【００３６】
上記構成により、制御基板３０のイネーブル端子１３５ａには、電気光学パネル１０ａのパネル制御回路１５ａのみが接続されている。また、イネーブル端子１３５ｂには、電気光学パネル１０ｂのパネル制御回路１５ｂのみが接続され、イネーブル端子１３５ｃには、電気光学パネル１０ｃのパネル制御回路１５ｃのみが接続されている。これにより、制御部１３０は、イネーブル端子１３５ａ、１３５ｂ、１３５ｃを介して電気光学パネル１０ａ、１０ｂ、１０ｃに選択的に制御信号（イネーブル信号）を出力することができ、任意のパネルを選択的に動作させることができる。
【００３７】
なお、電気光学装置１００に搭載される前の電気光学パネル１０ａでは、イネーブル配線１４１ａ、１４２ａ、１４３ａはいずれも切断されていない状態である。つまり、電気光学装置１００の汎用部品としての電気光学パネル１０は、電気光学パネル１０ａ、１０ｂ、１０ｃのいずれに対しても置き換え可能に構成されており、電気光学装置１００に搭載する際に、制御基板３０からの相対位置に応じて不要なイネーブル配線を切断する。このような構成により、電気光学装置１００の製造時及び修理時の双方において、共通の構成の電気光学パネル１０を汎用的に使用することができる。
【００３８】
なお、電気光学パネル１０ａ〜１０ｃに画像信号や各種タイミング信号を伝送する配線については、上記イネーブル配線のように一部が切断されたものではなく、全ての電気光学パネル１０ａ〜１０ｃ間で相互に接続された配線とされる。つまり、制御部１３０と接続された１本の配線に対して、電気光学パネル１０ａ〜１０ｃのパネル制御回路１５ａ〜１５ｃが接続される。上記の配線構造により、制御基板３０の送信端子から出力された画像信号やタイミング信号が、電気光学パネル１０ａを中継して電気光学パネル１０ｂへ伝達され、さらに電気光学パネル１０ｂから電気光学パネル１０ｃへ伝達される。
【００３９】
上記構成を備えた本実施形態の電気光学装置１００では、各々が走査線駆動回路１４及びデータ線駆動回路１３を備えた電気光学パネル１０（１０ａ〜１０ｃ）を連結することにより大型の表示部を構成している。そして、上述したように制御部１３０から任意の電気光学パネル１０ａ〜１０ｃに対してイネーブル信号を出力し任意の電気光学パネル１０ａ〜１０ｃを選択的に有効化することで、制御部１３０から出力された画像信号やタイミング信号を特定のパネルにのみ有効な信号とすることができるので、所望の電気光学パネル１０ａ〜１０ｃに対して所望の画像を表示させることができる。
【００４０】
以上詳細に説明したように、本実施形態の電気光学装置１００では、図１及び図５に示したように、電気光学パネル１０ａ〜１０ｃ及び制御基板３０がフレキシブル支持基板１０１により支持され、さらに電気光学パネル１０ａ、１０ｂ等の電気的接続にもフレキシブル配線基板１５２（１５１，１５３）が用いられている。これにより、制御基板３０と電気光学パネル１０ａとの接続部分にヒンジ部Ｈ１や、電気光学パネル１０ａと電気光学パネル１０ｂとの接続部分にヒンジ部Ｈ２を備えた構成とすることができ、かかるヒンジ部Ｈ１、Ｈ２を折り曲げて使用することができる。このように本実施形態によれば、従来は不可能であった折りたたみ構造を備えた電気光学装置を実現することができる。
【００４１】
また、電気光学装置１００では、電気光学パネル１０ａ〜１０ｃの枚数を容易に増減させることができるため、多種多様化するパネルサイズの要求に容易に対応でき、しかも安価に提供することが可能である。
【００４２】
また、イネーブル配線（１４１ａ〜１４３ａ等）を装置への搭載後に切断可能とした電気光学パネル１０は、電気光学装置１００の製造時及び修理時に汎用部品として用いることができるため、例えば複数の電気光学パネル１０ａ〜１０ｃのうち１枚のパネルのみが故障した場合にも、故障した１枚のみを汎用の電気光学パネル１０に交換し、不要なイネーブル配線を切断すればよい。このように本発明の電気光学装置１００では、不良発生時に容易かつ安価にパネル交換を行うことが可能である。
【００４３】
（第１変形例）
上記実施の形態では、フレキシブル支持基板１０１によって電気光学パネル１０ａ、１０ｂ、１０ｃと制御基板３０とを支持し、フレキシブル支持基板１０１とフレキシブル配線基板１５１〜１５３とによりヒンジ部Ｈ１〜Ｈ３が形成される構成としたが、かかる構成について種々の変更を加えることが可能である。
例えば、フレキシブル支持基板１０１を省略し、フレキシブル配線基板１５１〜１５３によってヒンジ部Ｈ１〜Ｈ３を構成することも可能である。この場合に、図１のように小さいフレキシブル配線基板１５１〜１５３を用いると電気光学パネル１０ａ〜１０ｃを安定に支持するのが困難になるため、フレキシブル配線基板１５１〜１５３を電気光学パネル１０ａ〜１０ｃの長辺にわたって延在する細長い矩形状のものとすることが好ましい。また、電気光学パネル１０ａ〜１０ｃの受信端子１２１や送信端子１２２がフレキシブル支持基板１０１側に形成されている場合には、フレキシブル支持基板１０１を、制御基板３０及び電気光学パネル１０ａ〜１０ｃ間を接続する配線基板として用いてもよい。
【００４４】
（第２変形例）
また、電気光学パネル１０における受信端子群１１１や送信端子群１１２の形態も先の実施形態に限定されず、種々の変更を加えることができる。例えば、図７（ａ）に示す電気光学パネル１０Ａや、図７（ｂ）に示す電気光学パネル１０Ｂも電気光学装置１００を構成するパネルとして用いることができる。
【００４５】
電気光学パネル１０Ａは、図２に示した電気光学パネル１０の受信端子群１１１及び送信端子群１１２に代えて、素子基板１１の短辺に沿う位置に形成された受信端子群１１３及び送信端子群１１４を備えた構成である。受信端子群１１３は、走査線駆動回路１４近傍の短辺端に形成された複数の受信端子１２３を有しており、送信端子群１１４は、受信端子群１１３が形成された短辺とは反対側の短辺端に形成された複数の送信端子１２４を有する。
【００４６】
電気光学パネル１０Ａにおいても、素子基板１１の角部１１Ａから受信端子群１１３までの長さと、角部１１Ｃから送信端子群１１４までの長さは同等に設定されている。これにより、複数の電気光学パネル１０Ａを長辺方向（図示左右方向）に配列したときに、隣り合う電気光学パネル１０Ａ間で受信端子群１１３と送信端子群１１４とがほぼ正対して配置され、これらの端子群同士の電気的接続を容易に行うことができる。
【００４７】
次に、図７（ｂ）に示す電気光学パネル１０Ｂは、素子基板１１の２つの長辺に各々形成された受信端子群１１１（第１の受信端子群）及び送信端子群１１２（第１の送信端子群）と、素子基板１１の２つの短辺に各々形成された受信端子群１１３（第２の受信端子群）及び送信端子群１１４（第２の送信端子群）とを備えている。
【００４８】
第１の受信端子群１１１及び第１の送信端子群１１２は、図２に示した電気光学パネル１０の受信端子群１１１及び送信端子群１１２と同様の構成である。また、第２の受信端子群１１３及び第２の送信端子群１１４は、図７（ａ）に示した受信端子群１１３及び送信端子群１１４と同様の構成である。
【００４９】
電気光学パネル１０Ｂは、表示部１２の四方に受信端子群１１１、１１３及び送信端子群１１２、１１４が設けられているため、図８に示すように、電気光学パネル１０Ｂが縦横に配置された電気光学装置１００Ａを構成することができる。
【００５０】
図８に示す電気光学装置１００Ａは、制御基板３０と、８枚の電気光学パネル１０Ｂ（１０Ｂ１〜１０Ｂ８）を備えている。制御基板３０と８枚の電気光学パネル１０Ｂ１〜１０Ｂ８は、フレキシブル配線基板１６１〜１６７及びフレキシブル配線基板１７１〜１７４を介して、隣り合って配置された構成要素同士が接続されている。
【００５１】
より詳しくは、制御基板３０の送信端子群３１と電気光学パネル１０Ｂ１の第１の受信端子群１１１とがフレキシブル配線基板１６１を介して接続されている。電気光学パネル１０Ｂ１の第１の送信端子群１１２と電気光学パネル１０Ｂ２の第１の受信端子群１１１とがフレキシブル配線基板１６２を介して接続されている。電気光学パネル１０Ｂ２の第１の送信端子群１１２と電気光学パネル１０Ｂ３の第１の受信端子群１１１とがフレキシブル配線基板１６３を介して接続されている。電気光学パネル１０Ｂ４の第１の送信端子群１１２と電気光学パネル１０Ｂ２の第１の受信端子群１１１とがフレキシブル配線基板１６４を介して接続されている。
【００５２】
電気光学パネル１０Ｂ５の第１の送信端子群１１２と電気光学パネル１０Ｂ６の第１の受信端子群１１１とがフレキシブル配線基板１６５を介して接続されている。電気光学パネル１０Ｂ６の第１の送信端子群１１２と電気光学パネル１０Ｂ７の第１の受信端子群１１１とがフレキシブル配線基板１６６を介して接続されている。電気光学パネル１０Ｂ７の第１の送信端子群１１２と電気光学パネル１０Ｂ８の第１の受信端子群１１１とがフレキシブル配線基板１６７を介して接続されている。
【００５３】
また、電気光学パネル１０Ｂの長辺方向に隣り合う電気光学パネル１０Ｂ同士は、フレキシブル配線基板１７１〜１７４を介して接続されている。
具体的に、電気光学パネル１０Ｂ１の第２の送信端子群１１４と電気光学パネル１０Ｂ５の第２の受信端子群１１３とがフレキシブル配線基板１７１を介して接続されている。電気光学パネル１０Ｂ２の第２の送信端子群１１４と電気光学パネル１０Ｂ６の第２の受信端子群１１３とがフレキシブル配線基板１７２を介して接続されている。電気光学パネル１０Ｂ３の第２の送信端子群１１４と電気光学パネル１０Ｂ７の第２の受信端子群１１３とがフレキシブル配線基板１７３を介して接続されている。電気光学パネル１０Ｂ４の第２の送信端子群１１４と電気光学パネル１０Ｂ８の第２の受信端子群１１３とがフレキシブル配線基板１７４を介して接続されている。
【００５４】
上記構成を備えた電気光学装置１００Ａにおいても、先の実施形態と同様に、送信端子群３１に含まれる複数のイネーブル端子と電気光学パネル１０Ｂ１〜１０Ｂ８とが一対一に対応して接続されている。そして、制御基板３０の制御部１３０からイネーブル信号と画像信号等とを組み合わせて出力させることで、任意の電気光学パネル１０Ｂ１〜１０Ｂ８を選択的に動作させ、当該電気光学パネルに所望の画像を表示させることができる。
【００５５】
また電気光学装置１００Ａにおいても、制御基板３０及び電気光学パネル１０Ｂ１〜１０Ｂ８間を接続するフレキシブル配線基板１６１〜１６７、１７１〜１７４が可撓性を有しているため、これらの部材の接続部分が折り曲げ可能のヒンジ部となり、折りたたみ可能な構造とされている。
また電気光学パネル１０Ｂは、電気光学装置１００Ａにおける汎用部品として使用することができ、電気光学装置１００Ａの製造時及び修理時に、任意の位置の電気光学パネル１０Ｂ１〜１０Ｂ８として用いることができる。
【００５６】
（電気光学パネルの具体例）
ここで、本発明に係る電気光学パネル１０の複数の具体的構成例について、図９を参照しつつ説明する。なお、変形例に係る電気光学パネル１０Ａ、１０Ｂは、受信端子群や送信端子群の構成が異なるのみであるから、以下に説明する各構成を当然に採用することができる。
【００５７】
＜電気泳動表示パネル＞
図９（ａ）は、本発明の電気光学パネルの一例である電気泳動表示パネルを示す断面図である。
電気泳動表示パネルＥＰＤは、素子基板１１と対向基板２０との間に、電気泳動素子３５（電気光学物質層２５）を挟持してなる構成を備えている。
【００５８】
素子基板１１は、ガラスやプラスチックからなる基板本体Ｐと、基板本体Ｐ上に配列形成された画素電極９とを有する。図示は省略したが、基板本体Ｐ上には画素電極９に接続された選択トランジスタＴＲｓやキャパシタＣ１が形成されている。さらに本実施形態の場合、データ線駆動回路１３や走査線駆動回路１４、パネル制御回路１５、受信端子群１１１、送信端子群１１２等も基板本体Ｐ上に形成されている。
【００５９】
対向基板２０は、ガラスやプラスチックからなる透明基板２１と、透明基板２１上に形成されたＩＴＯ等の透明導電膜からなる共通電極２２とを備えている。電気泳動素子３５は、共通電極２２上に平面的に配列された複数のマイクロカプセル２６と、マイクロカプセル２６を共通電極２２上に固着させるバインダー３６とを有する。マイクロカプセル２６は、球状の壁膜の内部に、例えば白色粒子と黒色粒子と分散媒とを封入した構成である。そして、電気泳動素子３５と素子基板１１とが、接着剤層３７を介して接着されている。
【００６０】
なお、電気泳動素子３５は、あらかじめ対向基板２０側に形成され、接着剤層３７までを含めた電気泳動シートとして取り扱われるのが一般的である。製造工程において、電気泳動シートは接着剤層３７の表面に保護用の剥離シートが貼り付けられた状態で取り扱われる。そして、別途製造された素子基板１１に対して、剥離シートを剥がした当該電気泳動シートを貼り付けることによって、表示部を形成する。このため、接着剤層３７は電気泳動素子３５の画素電極９側のみに存在することになる。
【００６１】
＜有機ＥＬ（エレクトロルミネッセンス）パネル＞
図９（ｂ）は、本発明の電気光学パネルの一例である有機ＥＬパネルを示す断面図である。
有機ＥＬパネルＯＬＥＤは、素子基板１１上に、画素電極９毎に領域を区画する隔壁４６と、隔壁４６に囲まれた画素電極９上の領域に形成された有機機能層４７（電気光学物質層２５）と、有機機能層４７及び隔壁４６を覆って形成された共通電極４８と、接着剤層４９と、封止基板５０と、を備えている。
【００６２】
隔壁４６は無機絶縁膜又は有機絶縁膜、あるいはこれらを積層した絶縁膜からなり、画素電極９上に形成される有機機能層４７同士を区画する機能を奏する。有機絶縁膜としては、例えば光硬化性のアクリル樹脂やポリイミド樹脂等を用いることができ、無機絶縁膜としてはシリコン酸化物、シリコン窒化物等を用いることができる。
【００６３】
有機機能層４７は、少なくとも有機発光層を含んでおり、典型的には、画素電極９側から順に、正孔注入層と、有機発光層とを積層した構成である。正孔注入層には、例えばＰＥＤＯＴ／ＰＳＳなどの導電性高分子材料を用いることができる。有機発光層は、その形成材料の違いにより、それぞれ赤色光、緑色光、青色光を射出可能に構成され、赤、緑、青の３色の光によりフルカラー表示の１画素が構成される。
正孔注入層と有機発光層との間にさらに正孔輸送層を形成してもよい。あるいは、白色の有機発光層とカラーフィルターとによりカラー表示する方式であってもよい。
【００６４】
共通電極４８は、複数の有機機能層４７上にわたって形成されており、例えば陰極層と共振層とを積層した構成である。
陰極層は仕事関数の低い（例えば５ｅＶ以下）材料を用いて形成され、例えばカルシウムやマグネシウム、ナトリウム、ストロンチウム、バリウム、リチウム、あるいはこれらの化合物であるフッ化カルシウム等の金属フッ化物や酸化リチウム等の金属酸化物、アセチルアセトナトカルシウム等の有機金属錯体等を用いることができる。
共振層は金属材料からなる層であり、例えばマグネシウム銀の共蒸着膜を用いることができる。マグネシウムと銀との共蒸着比率は例えば体積比で１０：１である。共振層は、有機機能層４７から発せられた光の一部を反射し一部を透過する半透過膜である。共振層は、素子基板１１上に形成された光反射性の画素電極９との間で光を共振させる光共振構造を構成し、画素電極９の光反射面と共振層との間の光学的距離に対応した共振条件を満たす光のみが増幅されて取り出される。
【００６５】
接着剤層４９は、例えばエポキシ樹脂等の透明樹脂からなり、ガラスやプラスチックからなる透明基板である封止基板５０を素子基板１１に固着させるとともに、有機機能層４７への水分等の侵入を防止する機能を奏する。なお、共通電極４８と接着剤層４９との間に、シリコン酸化物やシリコン窒化物、シリコン酸化窒化物からなる無機絶縁膜を形成してもよい。
【００６６】
＜液晶パネル＞
図９（ｃ）は、本発明の電気光学パネルの一例である液晶パネルを示す断面図である。
液晶パネルＬＣＤは、素子基板１１と、対向基板４０との間に、液晶層５５（電気光学物質層２５）を挟持した構成を備えている。
対向基板４０は、ガラスやプラスチック等からなる透明基板５１と、透明基板５１の液晶層５５側に順に形成された共通電極５２及び配向膜５３とを有する。また、素子基板１１の画素電極９上にも配向膜５４が形成されている。
【００６７】
液晶装置の構成としては、公知のアクティブマトリクス型液晶装置の任意の構成が適用できる。例えば、液晶の配向形態としてはＴＮ型、ＶＡＮ型、ＳＴＮ型、強誘電型、反強誘電型等の種々の公知の形態が採用できる。また、素子基板１１及び対向基板４０のいずれかにカラーフィルタを配置してカラー表示パネルとしてもよい。さらに、素子基板１１上に反射膜を形成して反射型の液晶装置を構成してもよく、この反射膜に開口部やスリット等の透光部を形成して、半透過反射型の液晶装置を構成してもよい。
【００６８】
（電子機器）
次に、本発明に係る電気光学装置を備えた電子機器の実施の形態について、図１０から図１５を参照して説明する。
図１０及び図１１は、電気光学装置１００を表示装置として搭載したＵＳＢメモリ５００の斜視図であり、図１０は電気光学装置１００を折りたたんだ状態、図１１は電気光学装置１００を広げた状態を示す図である。また図１２は、図１１に示す状態におけるＵＳＢメモリ５００の平面図である。
【００６９】
ＵＳＢメモリ５００は、メモリ本体部５０１と、メモリ本体部５０１の長手方向の端部に設けられたＵＳＢコネクター５０２とを備えており、メモリ本体部５０１の一側面に電気光学装置１００が装着されている。
電気光学装置１００の構成は、図１を参照して説明した先の実施形態と同様であり、ここでは詳細な説明は省略する。ただし、制御基板３０には、ＵＳＢメモリ５００の全体を総合的に制御するＵＳＢ制御部５１０が設けられており、ＵＳＢ制御部５１０は電気光学パネル１０ａ〜１０ｃとメモリ本体部５０１の双方に接続されている。
【００７０】
ＵＳＢメモリ５００において、メモリ本体部５０１と電気光学装置１００はほぼ同等の長さ（図１０に示す長さＬ）であり、電気光学装置１００の制御基板３０と電気光学パネル１０ａ〜１０ｃは、いずれもメモリ本体部５０１の一側面とほぼ同等の寸法を有している。そして、メモリ本体部５０１の側面に制御基板３０が装着されるとともに、制御基板３０と電気光学パネル１０ａとの接続部分のヒンジ部Ｈ１が、メモリ本体部５０１の側面の角部に沿って配置されている。
【００７１】
上記の構成により、ヒンジ部Ｈ１〜Ｈ３を折り曲げることで、電気光学パネル１０ａ〜１０ｃを制御基板３０上に折りたたんで配置することができる。これにより本実施形態のＵＳＢメモリ５００は、図１０に示すコンパクトな形態と図１１及び図１２に示す電気光学パネル１０ａ〜１０ｃの表示部１２ａ〜１２ｃを視認可能な状態との間を自在に移行可能に構成されている。
【００７２】
次に、図１３は、ＵＳＢメモリ５００の機能ブロック図である。
図１３に示すようにＵＳＢメモリ５００は、ＵＳＢ制御部５１０と、表示制御部５１１と、外部接続部５１２と、データ格納部５１３と、表示情報格納部５１４とを備えている。電気光学パネル１０ａ〜１０ｃは、ＵＳＢ制御部５１０に接続された表示制御部５１１と接続されている。
ＵＳＢ制御部５１０は、ＵＳＢメモリ５００の全体を総合的に制御するものとされ、ＵＳＢ制御部５１０に接続された表示制御部５１１、外部接続部５１２、データ格納部５１３、及び表示情報格納部５１４の駆動制御を行う。
【００７３】
表示制御部５１１は、先の実施形態の制御部１３０に相当するディスプレイコントローラーであり、ＵＳＢ制御部５１０の制御のもとで、電気光学パネル１０ａ〜１０ｃへの画像表示動作を実行する。具体的に、表示制御部５１１から出力されるイネーブル信号に基づいて電気光学パネル１０ａ〜１０ｃの選択的な有効化が行われ、有効化された電気光学パネル１０ａ〜１０ｃに対して画像信号等が供給される。
【００７４】
外部接続部５１２は、ＵＳＢコネクター５０２を介して接続されるＰＣ（パーソナルコンピューター）等の外部機器とのインターフェース部であり、ＵＳＢ制御部５１０は外部接続部５１２を介して外部機器とのデータ等の送受信を実行する。
データ格納部５１３は、フラッシュメモリ等からなるＵＳＢメモリ５００の主記憶部であり、ＰＣ等から入力されるデータを記憶する。一方、表示情報格納部５１４は、フラッシュメモリ等からなる記憶部であるが、ＵＳＢメモリ単体でファイル情報等の表示を行うための文字情報や画像情報が格納されている。
【００７５】
次に、図１４及び図１５を参照して本実施形態のＵＳＢメモリ５００の動作について説明する。
図１４はＵＳＢメモリ５００において、表示部１２ａ〜１２ｃに図１５に示すようなデータ情報を表示させる動作のフローチャートである。図１５は、電気光学装置１００の表示部１２ａ〜１２ｃに画像（文字情報）を表示させた状態を示す説明図である。
【００７６】
図１４にフローを示す動作は、ＰＣ等の外部機器からデータ（フォルダ又はファイル）が入力されたときに、表示部１２ａ〜１２ｃにデータ情報（フォルダ名、ファイル名）を表示させるファイル情報表示動作である。したがって、図１４に示す動作の前提として、ＵＳＢメモリ５００はＰＣ等の外部機器に接続されている。以下、上記データ情報表示動作について詳細に説明する。
【００７７】
まず、ステップＳＴ１１において、ＵＳＢ制御部５１０は、外部接続部５１２（ＵＳＢコネクター５０２）を介してＰＣ等から入力されるデータ（フォルダ又はファイル）を受け取る。その後、ステップＳＴ１２において、ＵＳＢ制御部５１０は、受け取ったファイルを主記憶部であるデータ格納部５１３に格納する。
【００７８】
データ格納部５１３へのデータの格納が終了したならば、ステップＳＴ１３において、入力されたデータがフォルダであるかファイルであるかが判定される。判定の結果、入力データがフォルダである場合にはステップＳＴ１４に移行し、入力データがファイルである場合にはステップＳＴ１６に移行する。
【００７９】
まず、入力データがフォルダである場合には、ステップＳＴ１４において、当該フォルダに格納されているフォルダの名称（フォルダ名）やファイルの名称（ファイル名）に関する情報が取得される。取得されたデータ情報（フォルダ名及びファイル名）は、ステップＳＴ１５において表示情報格納部５１４に格納される。このとき、表示情報格納部５１４にすでにデータ情報が格納されている場合には、ＵＳＢ制御部５１０はステップＳＴ１４で取得したデータ情報を、古いデータ情報に対して追加する動作を行う。その後、ステップＳＴ１８以降の情報表示動作に移行する。
【００８０】
一方、入力データがファイルである場合には、ステップＳＴ１６において、入力データのファイル名が取得される。取得されたデータ情報（ファイル名）は、続くステップＳＴ１７において表示情報格納部５１４に格納される。このとき、表示情報格納部５１４にすでにデータ情報が格納されている場合に、古いデータ情報へのファイル名の追加を行う点は、ステップＳＴ１５の場合と同様である。その後、ステップＳＴ１８以降の情報表示動作に移行する。
【００８１】
なお、図１４に示す動作フローには含まれないが、ＵＳＢメモリ５００のデータ格納部５１３においてファイルやフォルダの削除が行われた場合には、ＵＳＢ制御部５１０は削除対象のデータのフォルダ名やファイル名を、表示情報格納部５１４のデータ情報から削除する動作を実行する。つまり、表示情報格納部５１４には、常に、データ格納部５１３に格納されたデータに関するフォルダ構造を含めた情報が格納される。
【００８２】
次に、ステップＳＴ１８に移行すると、ＵＳＢ制御部５１０は、表示情報格納部５１４からデータ情報（表示情報）を読み出す。そして、続くステップＳＴ１９において、表示制御部５１１に対して電気光学パネル１０ａ〜１０ｃへの画像表示命令を出力する。またＵＳＢ制御部５１０は、表示情報格納部５１４から取得した表示情報を表示制御部５１１に供給する。
その後、ステップＳＴ２０において、表示情報の入力を受けた表示制御部５１１は、表示情報の画像サイズ等に応じて動作させる電気光学パネル１０ａ〜１０ｃを選択し、選択した電気光学パネル１０ａ〜１０ｃに対して表示情報の一部又は全部を画像信号として供給する。これにより、図１５に示すように、データ格納部５１３に格納されているフォルダ及びファイルの情報が、電気光学装置１００の表示部１２ａ〜１２ｃに表示される。
【００８３】
本実施形態の場合、図１５に示すように、表示部１２ｃに３つのファイル名が表示される一方、表示部１２ｂにフォルダとそのフォルダ内のファイル名が表示されている。ここで、ＵＳＢ制御部５１０により表示情報格納部５１４から読み出される表示情報は、表示部１２ｃに表示された情報（文字データ又は画像データ）と表示部１２ｂに表示された情報（文字データ又は画像データ）とが連結された情報であり、１つの表示部１２ｃでは表示しきれない大きさである。そこで、表示制御部５１１は入力された表示情報を表示部１２ａ〜１２ｃの表示可能範囲に合わせて分割し、分割した表示情報をそれぞれの表示部１２ａ〜１２ｃに振り分ける。
【００８４】
なお、図１４に示したフローでは、ＰＣ等からデータが入力されたときに表示部１２ａ〜１２ｃにデータ情報（フォルダ名、ファイル名）を表示させる場合について説明したが、ＵＳＢメモリ５００は、ＰＣ等に接続するのみで表示動作を行わせるように構成することもできる。この場合には、ＵＳＢメモリ５００をＰＣ等に接続したときに、図１４に示したステップＳＴ１８〜ＳＴ２０が実行されるようにすればよい。
【００８５】
以上、詳細に説明したように、本実施形態のＵＳＢメモリ５００によれば、メモリ内に格納されているフォルダ名やファイル名のデータ情報を電気光学装置１００に表示させることができるため、従来のＵＳＢメモリと比較して大きく使い勝手が改善されたものとなる。
より詳しくは、従来のＵＳＢメモリでは、メモリ内に格納されているファイルの名称等はコンピューターに接続しない限り読み取ることはできなかった。また、ファイル名もコンピューターの画面上にしか表示されないため、ファイル名を確認するためのコンピューター操作が必要であった。これに対して、本実施形態のＵＳＢメモリ５００では、コンピューターに接続するのみで内部に格納されたファイル名を電気光学装置１００に表示させることができ、コンピューター操作を行うことなく簡便にファイル情報を取得することができる。
【００８６】
また、メモリ本体部５０１の一側面と同等の大きさの電気光学パネル１０ａ〜１０ｃを備えた電気光学装置１００を装着していることで、電気光学パネル１０ａ〜１０ｃを折りたたんだときに非常にコンパクトな形態とすることができ、また電気光学パネル１０ａ〜１０ｃを広げることで十分な情報量の表示が可能な表示部を展開することができる。
【００８７】
（変形例）
上記実施形態のＵＳＢメモリ５００は、ＰＣ等からデータが入力されたときやＰＣ等に接続したときにファイル名等のデータ情報が表示される構成であった。その一方で、セキュリティ上の理由からデータ情報の表示が制限される用途も想定される。このような場合には、ＵＳＢメモリ５００にパスワード判定機能等のセキュリティ機能を付加すればよい。以下、図１６から図１８を参照して、セキュリティ機能を備えたＵＳＢメモリの実施形態について説明する。
【００８８】
図１６は、パスワードによるセキュリティ機能を備えたＵＳＢメモリ５００Ａの機能ブロック図である。
ＵＳＢメモリ５００Ａは、ＵＳＢ制御部５１０Ａと、表示制御部５１１と、外部接続部５１２と、データ格納部５１３と、表示情報格納部５１４と、パスワード格納部５１５とを備えている。先の実施形態のＵＳＢメモリ５００に対して、パスワード格納部５１５が追加されている。
ＵＳＢ制御部５１０Ａは、図１３に示したＵＳＢ制御部５１０と同様の機能に加え、表示制限機能とそれを設定及び解除するパスワード判定機能とを備えている。
【００８９】
図１７は、ＵＳＢメモリ５００Ａとともに用いるセキュリティ解除機器を示す図である。図１８は、図１７に示すセキュリティ解除機器１０００の機能ブロック図である。
【００９０】
図１７に示すセキュリティ解除機器１０００は、筐体１００１と、操作部１００２と、表示部１００３と、ＵＳＢコネクター１００４とを備えている。操作部１００２は、「０」〜「９」の数字キー１００５と、「Enter」が記されたエンターキー１００６とを含む。表示部１００３は、任意の文字や数字、画像を表示可能に構成されており、操作部１００２の操作により入力された桁数を確認するための伏字「＊」等や、セキュリティ解除機器１０００のステータス、操作ガイド等が表示される。ＵＳＢコネクター１００４にはＵＳＢメモリ５００ＡのＵＳＢコネクタが接続される。
【００９１】
図１８に機能ブロックを示すように、セキュリティ解除機器１０００は、機器制御部１０１０と、表示制御部１０１１と、入力Ｉ／Ｆ部１０１２と、データ格納部１０１３と、ＵＳＢ接続部１０１４とを備えている。機器制御部１０１０は、セキュリティ解除機器１０００を総合的に制御するものであり、操作部１００２を介した数字入力機能やＵＳＢメモリ５００Ａとの通信機能、表示部１００３への各種情報の表示機能等の動作を制御する。
【００９２】
入力Ｉ／Ｆ部１０１２は、操作部１００２と接続されたキー入力インターフェースであり、操作部１００２が操作されたときに各キーに対応する信号を機器制御部１０１０に出力する。
表示制御部１０１１は表示部１００３と接続されたディスプレイコントローラーであり、機器制御部１０１０から出力される表示命令に従って表示部１００３を駆動し、機器制御部１０１０から供給される画像データに基づく画像を表示させる。
データ格納部１０１３は、セキュリティ解除機器１０００の主記憶部であり、表示部１００３に表示させるステータス情報や操作ガイド情報などを保持している。
ＵＳＢ接続部１０１４は、ＵＳＢコネクター１００４と接続されたＵＳＢインターフェース部であり、図示のように、ＵＳＢメモリ５００Ａと接続される。
【００９３】
図１９は、ＵＳＢメモリ５００Ａとセキュリティ解除機器１０００とを接続した状態を示す説明図である。図２０は、セキュリティ解除機器１０００を用いたＵＳＢメモリ５００Ａのセキュリティ解除動作を示す説明図である。
図１７に示すセキュリティ解除機器１０００を用いてＵＳＢメモリ５００Ａのセキュリティを解除し、データ情報を表示させるには、まず、図１９に示すように、セキュリティ解除機器１０００のＵＳＢコネクター１００４にＵＳＢメモリ５００ＡのＵＳＢコネクタを接続する。これにより、セキュリティ解除機器１０００からＵＳＢメモリ５００Ａに電力が供給され、ＵＳＢメモリ５００Ａが電源オン状態となる。
【００９４】
このとき、ＵＳＢメモリ５００Ａの表示部１２ａ〜１２ｃには、何も表示されないか、あるいはパスワード入力を促す操作ガイド等が表示される。
また、セキュリティ解除機器１０００の表示部１００３には、ＵＳＢメモリ５００Ａが接続され、パスワード入力待ちの状態であることを示すステータス表示や、パスワード入力を促す操作ガイド等が表示される。
【００９５】
そして、図２０に示すセキュリティ解除機器のステップＳＴ１０１において、ユーザーが操作部１００２の数字キー１００５を操作することによりパスワード入力が実行される。このとき、セキュリティ解除機器１０００の表示部１００３には、入力されたパスワードの桁数に応じた伏字「＊」等が表示され、パスワード入力が受け付けられていることをユーザーに報知する。
【００９６】
その後、ステップＳＴ１０２においてユーザーによりエンターキー１００６が押下されると、セキュリティ解除機器１０００のＵＳＢ接続部１０１４からＵＳＢメモリ５００Ａの外部接続部５１２にパスワードを含むデータが送信される。
そうすると、ＵＳＢメモリ５００ＡのステップＳＴ２０１において、ＵＳＢメモリ５００ＡのＵＳＢ制御部５１０Ａが、外部接続部５１２を介してパスワードを含むデータを受け取る。受け取ったデータは、ＵＳＢ制御部５１０Ａに設けられた一時記憶領域に保持される。
その後、ステップＳＴ２０２において、パスワードの照合動作が成される。ＵＳＢ制御部５１０Ａはパスワード格納部５１５から解除用のパスワードを読み取り、セキュリティ解除機器１０００から入力されたパスワードと比較する。
【００９７】
そして、ステップＳＴ２０３において、パスワードが一致していることが確認されると、ＵＳＢ制御部５１０Ａは表示情報格納部５１４からデータ情報を読み取り、表示命令とともに表示制御部５１１に出力する。表示制御部５１１は、受け取ったデータ情報に基づいて表示部１２ａ〜１２ｃにデータ情報（データ格納部５１３内に格納されたフォルダやファイルの情報）を表示させる。
なお、パスワードが一致しない場合には、データ情報の表示は成されない。その際に、単に処理を終了してもよく、パスワードが不一致であったことを、表示部１２ａ〜１２ｃやセキュリティ解除機器１０００の表示部１００３への文字表示や、音によりユーザーに報知してもよい。
【００９８】
なお、以上の変形例では、セキュリティ解除機器１０００を用いてＵＳＢメモリ５００Ａのセキュリティ解除を行うこととしたが、ＵＳＢメモリ５００Ａのセキュリティ解除は、専用機器を用いる場合に限定されない。例えば、ＰＣ用のセキュリティ解除ソフトウェアを用いる構成としてもよい。
【００９９】
以上に説明した変形例によれば、ＵＳＢメモリ５００Ａにセキュリティ機能が備えられているので、不用意にファイル情報が表示されてしまうのを防止することができ、ＵＳＢメモリ５００Ａ内の情報表示が制限されるような用途にも安全に用いることができる。
また、図１８に示したセキュリティ解除機器１０００等を用いる場合には、ＵＳＢメモリ５００ＡをＰＣ等に接続することなく内部の情報を確認することができ、データを持ち出す際の利便性と安全性とを向上させることができる。
【符号の説明】
【０１００】
１００，１００Ａ  電気光学装置、１０，１０ａ，１０ｂ，１０ｃ  電気光学パネル、１２，１２ａ，１２ｂ，１２ｃ  表示部、１５，１５ａ，１５ｂ，１５ｃ  パネル制御回路（制御回路）、１９  画素、３０  制御基板、３１，１１２  送信端子群、１０１  フレキシブル支持基板、１１１  受信端子群、１２１，１２３  受信端子、１２２，１２４  送信端子、１３０  制御部、１５１，１５２，１５３  フレキシブル配線基板、１５５  接続配線、５００，５００Ａ  ＵＳＢメモリ（電子機器）、１０００  セキュリティ解除機器
【図１】
2011150259.tif 000003
【図２】
2011150259.tif 000004
【図３】
2011150259.tif 000005
【図４】
2011150259.tif 000006
【図５】
2011150259.tif 000007
【図６】
2011150259.tif 000008
【図７】
2011150259.tif 000009
【図８】
2011150259.tif 000010
【図９】
2011150259.tif 000011
【図１０】
2011150259.tif 000012
【図１１】
2011150259.tif 000013
【図１２】
2011150259.tif 000014
【図１３】
2011150259.tif 000015
【図１４】
2011150259.tif 000016
【図１５】
2011150259.tif 000017
【図１６】
2011150259.tif 000018
【図１７】
2011150259.tif 000019
【図１８】
2011150259.tif 000020
【図１９】
2011150259.tif 000021
【図２０】
2011150259.tif 000022